(57)【要約】      （修正有）【課題】裸眼立体ディスプレイ装置及びそのレンズ構造層を提供する。【解決手段】裸眼立体ディスプレイ装置Ｕには液晶モジュールディスプレイ１及びレンズ構造層２を備える。液晶モジュールディスプレイには二つのフル画素１３、１４が備えられて、二つのフル画素が互いに隣り合うように予定の軸方向に沿って順番に排列されている。各フル画素にサブ画素１３１〜１３３が備えられる。レンズ構造層が液晶モジュールディスプレイに設けられる。レンズ構造層には、本体部２１と、本体部に設けられる屈折部２２〜２４が備えられて、かつ、屈折部に第１の屈折面２２１、及び第１の屈折面と連接される第２の屈折面２２２が備えられる。中でも、屈折部２２が互いに隣り合う二つのサブ画素１３１、１３２と対応する。中でも、各屈折部に第１の屈折面、及び第１の屈折面と連接される第２の屈折面が備えられて、第１の屈折面と第２の屈折面とは斜め面に形成されている。【選択図】図３
0003216564.tif 000002
【実用新案登録請求の範囲】
【請求項１】
液晶モジュールディスプレイ及びレンズ構造層を備える裸眼立体ディスプレイ装置であって、
前記液晶モジュールディスプレイには、互いに隣り合うように所定の軸方向に沿って順番に排列されるとともに、それぞれに前記所定の軸方向に沿って順番に排列されている３つのサブ画素を有する少なくとも２つのフル画素を備え、
前記レンズ構造層は前記液晶モジュールディスプレイに設けられ、本体部と、前記本体部に設けられると共に前記所定の軸方向に沿って順番に排列されている少なくとも３つの屈折部とを備え、
前記少なくとも３つの屈折部における１つの前記屈折部は、前記少なくとも６つのサブ画素における互いに隣り合う２つのサブ画素と対応し、
前記少なくとも３つの屈折部における他の１つの前記屈折部は、前記少なくとも６つのサブ画素における他の互いに隣り合う２つのサブ画素と対応し、
前記少なくとも３つの屈折部におけるさらに他の１つの前記屈折部は、前記少なくとも６つのサブ画素におけるさらに他の互いに隣り合う２つのサブ画素と対応し、
また、各前記屈折部には、第１の屈折面と、前記第１の屈折面に連接されている第２の屈折面とを有し、
前記第１の屈折面及び第２の屈折面は斜め面に形成されている、
ことを特徴とする裸眼立体ディスプレイ装置。
【請求項２】
前記液晶モジュールディスプレイ及び前記レンズ構造層の間にさらに粘着層を含むことを特徴とする請求項１の裸眼立体ディスプレイ装置。
【請求項３】
前記第１の屈折面と前記第２の屈折面との間には、１２０度と１７９度との間にある所定角度が設けられていることを特徴とする請求項１の裸眼立体ディスプレイ装置。
【請求項４】
少なくとも２つの前記フル画素における一方のフル画素の３つの前記サブ画素の色は互いに異なり、また、少なくとも２つの前記フル画素における他方のフル画素の３つの前記サブ画素の色は互いに異なっていることを特徴とする請求項１の裸眼立体ディスプレイ装置。
【請求項５】
前記予定の軸方向は全ての前記屈折部の縦方向に対して非平行になるように形成されることを特徴とする請求項１の裸眼立体ディスプレイ装置。
【請求項６】
液晶モジュールディスプレイに設けられるレンズ構造層であって、
前記液晶モジュールディスプレイには、それぞれに前記所定の軸方向に沿って順番に排列されている３つのサブ画素を有する少なくとも２つのフル画素を備え、
また、前記レンズ構造層は、本体部と、前記本体部に設けられると共に前記所定の軸方向に沿って順番に排列されている少なくとも３つの屈折部とを備え、
各前記屈折部には、第１の屈折面と、前記第１の屈折面に連接されている第２の屈折面とを有し、
前記第１の屈折面及び第２の屈折面は斜め面に形成され、
また、前記少なくとも３つの屈折部における１つの前記屈折部は、前記少なくとも６つのサブ画素における互いに隣り合う２つのサブ画素と対応し、
前記少なくとも３つの屈折部における他の１つの前記屈折部は、前記少なくとも６つのサブ画素における他の互いに隣り合う２つのサブ画素と対応し、
前記少なくとも３つの屈折部におけるさらに他の１つの前記屈折部は、前記少なくとも６つのサブ画素におけるさらに他の互いに隣り合う２つのサブ画素と対応することを特徴とするレンズ構造層。
【請求項７】
各前記屈折部には、第１の屈折面、及び前記第１の屈折面と連接される第２の屈折面が備えられて、
前記第１の屈折面と前記第２の屈折面とが斜め面に形成され、
また、前記第１の屈折面と前記第２の屈折面との間に１２０度と１７９度の間にある所定角度を有することを特徴とする請求項６のレンズ構造層。
【請求項８】
液晶モジュールディスプレイ及びレンズ構造層を備える裸眼立体ディスプレイ装置であって、
前記液晶モジュールディスプレイには、少なくとも一つのサブ画素を有すると共に互いに隣り合うように予定の軸方向に沿って順番に排列される少なくとも二つのフル画素が備えられて、
前記レンズ構造層は、前記液晶モジュールディスプレイに設けられ、本体部と、前記本体部に設けられる少なくとも一つの屈折部を備えて、
また、少なくとも一つの前記屈折部に第１の屈折面、及び前記第１の屈折面と連接される第２の屈折面が備えられて、
少なくとも一つの前記屈折部は互いに隣り合う二つのサブ画素と対応することを特徴とする裸眼立体ディスプレイ装置。
【請求項９】
少なくとも一つの前記屈折部における前記第１の屈折面と前記第２の屈折面との間に、１２０度と１７９度の間にある所定角度が設けられることを特徴とする請求項８の裸眼立体ディスプレイ装置。 
【考案の詳細な説明】
【技術分野】
【０００１】
本考案は立体ディスプレイ装置に関し、特に裸眼立体ディスプレイ装置及びそのレンズ構造層に関する。
【背景技術】
【０００２】
まず、科学の進化に従い、３次元（３Ｄ）立体画像表示技術のディスプレイ技術は急速に発展されて、ますます生活の一部になる一方である。一般に、人間の目は互いに５ないし７センチの距離があいているため、両眼視差が存在している。３Ｄ立体画像ディスプレイ装置はその両眼視差を利用して、使用者が左目により左目に与える画像のみが見られて、右目により右目に与える画像のみが見られるようにデザインしたものである。
【０００３】
そして、従来の技術、例えば、台湾の公告特許第Ｉ５２６７１７号特許には、「裸眼立体ディスプレイ装置及び裸眼立体ディスプレイ装置の画像を配列する」が開示されている。それにおいて、立体ディスプレイ装置の特徴パラメータを調整することにより、干渉縞が生じることが防ぐことができて、見るときの快適性を高めることができる。なお、上記特許における干渉縞（Ｍｏｉｒｅ）に対する抑制効果はさらに改善することができる。
【考案の概要】
【考案が解決しようとする課題】
【０００４】
本考案が解決しようとする課題は、従来技術の不足に対して、裸眼立体ディスプレイ装置及びそのレンズ構造層を提供して、干渉縞の発生を抑制するとともに、見る時の快適性を高めることである。
【課題を解決するための手段】
【０００５】
上記の課題を解決するために、本考案が採用する方案の一つとしては液晶モジュールディスプレイ及びレンズ構造層を含む裸眼立体ディスプレイ装置を提供する。前記液晶モジュールディスプレイには少なくとも２つのフル画素を有し、前記少なくとも２つのフル画素が互いに隣り合うように予定の軸方向に沿って順番に排列されている。中でも、前記フル画素毎に前記予定の軸方向に沿って順番に排列される３つのサブ画素を備える。前記レンズ構造層が前記液晶モジュールディスプレイに設けられている。中でも、前記レンズ構造層には、本体部と、前記本体部に設けられ、前記予定の軸方向に沿って順番に排列される少なくとも３つの屈折部とを含む。中でも、少なくとも３つの前記屈折部における１つの前記屈折部は、少なくとも６つの前記サブ画素における互いに隣り合う２つのサブ画素と対応する。中でも、少なくとも３つの前記屈折部における他の１つの前記屈折部は、少なくとも６つの前記サブ画素における他の互いに隣り合う２つのサブ画素と対応する。中でも、少なくとも３つの前記屈折部におけるさらに他の１つの前記屈折部は、少なくとも６つの前記サブ画素におけるさらに他の互いに隣り合う２つのサブ画素と対応する。中でも、各屈折部に第１の屈折面及び第１の屈折面に連接される第２の屈折面を有し、かつ、第１の屈折面と第２の屈折面が斜め面に形成されている。
【０００６】
本考案が採る他の実施形態において、液晶モジュールディスプレイに設けられるレンズ構造層を提供する。前記液晶モジュールディスプレイには少なくとも二つのフル画素が備えられる。前記フル画素毎には、予定の軸方向に沿って順番に排列される三つのサブ画素が備えられる。中でも、前記レンズ構造層に本体部と、少なくとも三つの屈折部が備えられる。少なくとも三つの前記屈折部は前記本体部に設けられ、前記予定の軸方向に沿って順番に排列されている。各前記屈折部には、第１の屈折面、及び前記第１の屈折面と連接される第２の屈折面が備えられて、かつ、前記第１の屈折面と前記第２の屈折面とは斜め面に形成されている。中でも、少なくとも三つの前記屈折部における１つの前記屈折部は、少なくとも二つの前記フル画素における互いに隣り合う二つのサブ画素と対応する。中でも、少なくとも三つの前記屈折部における他の１つの前記屈折部は、少なくとも二つの前記フル画素における互いに隣り合う他の二つのサブ画素と対応する。中でも、少なくとも三つの前記屈折部におけるさらに他の１つの前記屈折部は、少なくとも二つの前記フル画素におけるさらに他の互いに隣り合う二つのサブ画素と対応する。
【０００７】
本考案が採るさらに他の実施形態において、液晶モジュールディスプレイ及びレンズ構造層を備える裸眼立体ディスプレイ装置を提供する。前記液晶モジュールディスプレイには少なくとも二つのフル画素が備えられて、少なくとも二つの前記フル画素が互いに隣り合うように予定の軸方向に沿って順番に排列されている。中でも、各前記フル画素には少なくとも一つのサブ画素が備えられる。前記レンズ構造層が前記液晶モジュールディスプレイに設けられる。中でも、前記レンズ構造層には本体部と、前記本体部に設けられる少なくとも一つの屈折部が備えられて、かつ、少なくとも一つの前記屈折部に、第１の屈折面、及び前記第１の屈折面と連接される第２の屈折面が備えられる。また、前記第１の屈折面と前記第２の屈折面とは斜め面に形成されている。中でも、少なくとも一つの前記屈折部が互いに隣り合う二つのサブ画素と対応するようになる。
【０００８】
本考案による１つの有利な効果としては、本考案における実施形態に提供した裸眼立体ディスプレイ装置及びそのレンズ構造層は、「少なくとも一つの前記屈折部における第１の屈折面と第２の屈折面が斜め面に形成されている」という技術構成を介して、干渉縞の発生を抑制し、見るときの快適性を高めることができる点にある。
【図面の簡単な説明】
【０００９】
【図１】図１は本考案の実施形態にかかる裸眼立体ディスプレイ装置を示す立体模式図である。
【図２】図２は本考案の実施形態にかかるレンズ構造層の使用状態を示す模式図である。
【図３】図３は本考案の実施形態にかかる裸眼立体ディスプレイ装置を示す側面模式図である。
【図４Ａ】図４Ａは本考案の実施形態にかかる裸眼立体ディスプレイ装置における１つの例の投光を示す模式図である。
【図４Ｂ】図４Ｂは本考案の実施形態にかかる裸眼立体ディスプレイ装置における投光の他の例を示す模式図である。
【図５】図５は本考案の実施形態にかかるレンズ構造層の平面透視模式図である。
【考案を実施するための形態】
【００１０】
本考案の実施形態を述べる図１ないし図１４Ｂを参照する。なお、本実施例の対応する図面に言及している関連する数と外形は、本考案の実施の態様を具体的に説明し、本考案を理解しやすくするためのものに過ぎず、本考案の保護範囲を限定するためのものではない。
【００１１】
以下に所定の具体的実施例により、本発明に開示される「裸眼立体ディスプレイ装置及びそのレンズ構造層」に関する実施の態様を説明するが、当業者は、本明細書に開示される内容から本発明のメリットと効果が分かる。本発明は他の異なる具体的実施例により実施または応用されてもよく、本明細書中のそれぞれの詳細は、異なる観点と応用に基づき、本発明の趣旨を逸脱することなく各種の変形と変更を行ってもよい。また、本発明の添付図面は簡単な模式的説明に過ぎず、実際の寸法に従い示されるものではないことをまず明らかにしておく。以下の実施の態様は、本発明の関連技術内容をより詳しく説明するが、開示される内容は本発明の保護範囲を制限するためのものではない。
【００１２】
勿論、本明細書において第１、第２及び第３などの用語により要素又は信号などを表することになるが、それぞれの要素または信号は当該用語に制限されてない。それらの用語は一方の要素と他方の要素、或いは一方の信号と他方の信号を区別するために使われている。そして、本明細書に使われる用語には、状況に応じて関連する直列的に記載された事項におけるいずれか一つまたは複数の事項による全ての組み合わせを含むことがある。
【００１３】
［実施形態］
まず、図１ないし図３を参照する。図１は本考案の実施形態にかかる裸眼立体ディスプレイ装置を示す立体模式図である。図２は本考案の実施形態にかかるレンズ構造層の使用状態を示す模式図である。図３は本考案の実施形態にかかる裸眼立体ディスプレイ装置を示す側面模式図である。本考案は裸眼立体ディスプレイ装置Ｕ、及びそのレンズ構造層２を提供する。以下、まず裸眼立体ディスプレイ装置Ｕの主要構造を説明しており、レンズ構造層２に関する構造は後で説明する。
【００１４】
そして、再び図１ないし図３を参照する。裸眼立体ディスプレイ装置Ｕは液晶モジュールディスプレイ１（ｌｉｑｕｉｄ−ｃｒｙｓｔａｌ  ｄｉｓｐｌａｙ，ＬＣＤ）、及びレンズ構造層２を含む。レンズ構造層２は液晶モジュールディスプレイ１に設けられてもよい。例を挙げると、裸眼立体ディスプレイ装置Ｕはさらに粘着層３を含めてもよい。レンズ構造層２が粘着層３を介して液晶モジュールディスプレイ１に設けられるように、粘着層３を液晶モジュールディスプレイ１とレンズ構造層２との間に配置してもよい。なお、説明しておくべきは、他の実施形態において、粘着層３を介することなく、レンズ構造層２を液晶モジュールディスプレイ１に設けるようにすることもできる。例を挙げると、レンズ構造層２は液晶モジュールディスプレイ１に掛けるように液晶モジュールディスプレイ１に設けられてもよいが、本本考案はそれに制限されてない。説明に値するのは、粘着層３は光学透明樹脂（ｏｐｔｉｃａｌｌｙ  ｃｌｅａｒ  Ｒｅｓｉｎ，ＯＣＲ）、液状の透明接着剤（Ｌｉｑｕｉｄ  Ｏｐｔｉｃａｌｌｙ  Ｃｌｅａｒ  Ａｄｈｅｓｉｖｅ，ＬＯＣＡ）、透明接着剤（Ｏｐｔｉｃａｌｌｙ  Ｃｌｅａｒ  Ａｄｈｅｓｉｖｅ，ＯＣＡ）、感圧性接着剤（Ｐｒｅｓｓｕｒｅ  Ｓｅｎｓｉｔｉｖｅ  Ａｄｈｅｓｉｖｅ，ＰＳＡ）または、他の透光性を有する粘着体であってもよいが、本考案はそれに制限されてない。
【００１５】
そして、再び図２を参照する。例を挙げると、液晶モジュールディスプレイ１としては、パソコン、携帯電話またはタブレットＰＣなど表示画面を有するディスプレイ装置であるが、本考案はそれに制限されてない。それで、本考案の実施形態に提供されるレンズ構造層２を液晶モジュールディスプレイ１に配置することにより、使用者の目に対して３次元（３Ｄ）の視覚効果を生じることができる。また、レンズ構造層２を外して、元の２次元（２Ｄ）の視覚効果に戻ることができる。説明に値するのは、レンズ構造層２の材料としては、ガラス又は高分子材料であってもよいが、その透光率はおよそ８０％ないし９５％であって、光学屈折率は１．３８ないし１．６５であってもよい。説明しておくべきは、図面で示す便宜上、図２におけるレンズ構造層２は実際の寸法で示されていない。
【００１６】
そして、再び図３を参照する。液晶モジュールディスプレイ１は第１面１１及び第２面１２を有してもよい。レンズ構造層２が液晶モジュールディスプレイ１の第１面１１に設けられてもよい。また、液晶モジュールディスプレイ１には少なくとも２つのフル画素が備えられてもよい。少なくとも２つのフル画素は互いに隣り合うように予定の軸方向（Ｘ方向）に沿って順番に排列されている。フル画素毎には、少なくとも１つのサブ画素が設けられている。例を挙げると、各フル画素に予定の軸方向（Ｘ方向）に沿って順番に排列されてる三つのサブ画素  （ｓｕｂ−ｐｉｘｅｌ）が備えられている。本考案の実施形態は少なくとも２つのフル画素を第１のフル画素１３と第２のフル画素１４に分かれて説明をする。また、同時に第１のフル画素１３及び第２のフル画素１４はそれぞれ第１のサブ画素（１３１、１４１）、第２のサブ画素（１３２、１４２）及び第３のサブ画素（１３３、１４３）を含む場合として説明を進む。
【００１７】
詳しく言えば、図３に示すように、液晶モジュールディスプレイ１は第１のフル画素１３及び第２のフル画素１４を備えてもよい。第１のフル画素１３及び第２のフル画素１４が互いに隣り合うように予定の軸方向に沿って（Ｘ方向）順番に排列されている。また、第１のフル画素１３には第１のサブ画素１３１、第２のサブ画素１３２及び第３のサブ画素１３３が備えられてもよい。第１のフル画素１３の第１のサブ画素１３１、第２のサブ画素１３２及び第３のサブ画素１３３は予定の軸方向（Ｘ方向）に沿って順番に排列されている。また、第２のフル画素１４には第１のサブ画素１４１、第２のサブ画素１４２及び第３のサブ画素１４３が備えられてもよい。第２のフル画素１４の第１のサブ画素１４１、第２のサブ画素１４２及び第３のサブ画素１４３が予定の軸方向（Ｘ方向）に沿って順番に排列されている。つまり、第１のフル画素１３の第１のサブ画素１３１、第２のサブ画素１３２及び第３のサブ画素１３３、並びに第２のフル画素１４の第１のサブ画素１４１、第２のサブ画素１４２及び第３のサブ画素１４３はストレート状に形成するように同じ方向に沿って排列されてもよい。
【００１８】
さらに言えば、少なくとも２つのフル画素の一方のフル画素における三つのサブ画素の色が互いに異なっている。少なくとも２つのフル画素の他方のフル画素における三つのサブ画素の色が互いに異なっている。例を挙げると、本考案の実施形態と言えば、第１のフル画素１３及び第２のフル画素１４における第１のサブ画素１３１、１４１が赤の（Ｒ）サブ画素であり、第１のフル画素１３及び第２のフル画素１４における第２のサブ画素１３２、１４２が緑の（Ｇ）サブ画素であり、第１のフル画素１３及び第２のフル画素１４における第３のサブ画素１３３、１４３が青の（Ｂ）サブ画素であってもよいが、本考案はそれに制限されてない。つまり、他の実施形態において、第１のサブ画素（１３１、１４１）が緑のサブ画素であっても、青のサブ画素であってもよい。また、第２のサブ画素（１３２、１４２）が赤のサブ画素であっても、青のサブ画素であってもよいが、第３のサブ画素（１３３、１４３）が赤のサブ画素であっても、緑のサブ画素であってもよい。
【００１９】
また、再び図１ないし図３を参照する。レンズ構造層２は本体部２１と、本体部２１に設ける少なくとも１つの屈折部とを備えてもよい。以下にはレンズ構造層２に、予定の軸方向（Ｘ方向）に沿って順番に排列されている少なくとも３つの屈折部（２２、２３、２４）が備えられる場合について説明する。少なくとも３つの屈折部における１つの屈折部（２２）は、少なくとも２つのフル画素（即ち、少なくとも６つの，サブ画素）における互いに隣り合う二つのサブ画素と対応するようになってもよい。また、少なくとも３つの屈折部における他の１つ屈折部２３は、少なくとも２つのフル画素（即ち、少なくとも６つのサブ画素）における他の互いに隣り合う二つのサブ画素と対応するようになってもよい。また、少なくとも３つの屈折部におけるさらに他の屈折部２４は、少なくとも２つのフル画素（即ち、少なくとも６つのサブ画素）におけるさらに他の互いに隣り合う二つのサブ画素と対応するようになってもよい。さらに言えば、各屈折部（２２、２３、２４）には、第１の屈折面（２２１、２３１、２４１）、及び第１の屈折面（２２１、２３１、２４１）と連接される第２の屈折面（２２２、２３２、２４２）が備えられてもよい。かつ、第１の屈折面（２２１、２３１、２４１）と第２の屈折面（２２２、２３２、２４２）は斜め面に形成されている。言い換えれば第１の屈折面及び第２の屈折面はそれぞれ異なる方向に向かって傾斜する二つの斜め面に分かれている。また、屈折部（２２、２３、２４）毎の縦方向はＹ方向に沿って伸びてもよいが、一つの実施形態において、予定の軸方向（Ｘ方向）は、全ての屈折部（２２、２３、２４）の縦方向（Ｙ方向）と非平行又は垂直になるように形成される。また、第１の屈折面と第２の屈折面との間に１２０度と１７９度との間にある所定角度θが設けられてもよい。注目に値するのは、本考案の実施形態において、少なくとも３つの屈折部がそれぞれ第１の屈折部２２、第２の屈折部２３及び第３の屈折部２４として説明されている。同時に、図面の理解の便宜上、図面に記載する所定角度θは１２０度〜１７９度で呈するものではない。
【００２０】
詳しく言えば、再び図３を参照する。第１の屈折部２２は第１のフル画素１３における第１のサブ画素１３１及び第２のサブ画素１３２と対応し、第２の屈折部２３は第１のフル画素１３における第３のサブ画素１３３及び第２のフル画素１４における第１のサブ画素１４１と対応し、第３の屈折部２４は第２のフル画素１４における第２のサブ画素１４２及び第３のサブ画素１４３と対応してもよい。つまり、屈折部毎は互いに隣り合う二つのサブ画素と対応する。
【００２１】
本考案の実施形態と言えば、第１の屈折部２２には第１の屈折面２２１、及び第１の屈折部２２の第１の屈折面２２１と連接される第２の屈折面２２２が備えられている。第２の屈折部２３には第１の屈折面２３１、及び第２の屈折部２３の第１の屈折面２３１と連接される第２の屈折面２３２が備えられている。第３の屈折部２４には第１の屈折面２４１、及び第３の屈折部２４の第１の屈折面２４１と連接される第２の屈折面２４２が備えられている。
【００２２】
そして、図３に示すように、第１の屈折部２２の第１の屈折面２２１は第１のフル画素１３の第２のサブ画素１３２と対応し、第１の屈折部２２の第２の屈折面２２２は第１のフル画素１３の第１のサブ画素１３１と対応してもよい。第２の屈折部２３の第１の屈折面２３１は第２のフル画素１４の第１のサブ画素１４１と対応し、第２の屈折部２３の第２の屈折面２３２は第１のフル画素１３の第３のサブ画素１３３と対応してもよい。第３の屈折部２４の第１の屈折面２４１は第２のフル画素１４の第３のサブ画素１４３と対応し、第３の屈折部２４の第２の屈折面２４２は第２のフル画素１４の第２のサブ画素１４２と対応してもよい。
【００２３】
そして、再び図４Ａ及び圖４Ｂを参照する。図４Ａ及び４Ｂはそれぞれ本考案の実施形態に係る裸眼立体ディスプレイ装置の投光を示す模式図である。以下において、液晶モジュールディスプレイ１におけるバックライトモジュール（Ｂａｃｋｌｉｇｈｔ  Ｍｏｄｕｌｅ、図示なし）により光線を液晶ディスプレイモジュールに提供する場合、光線が第１のフル画素１３及び第２のフル画素１４における第１のサブ画素１３１、１４１、第２のサブ画素１３２、１４２及び一第３のサブ画素１３３、１４３を通じて、レンズ構造層２に投光する光路についてさらに説明する。
【００２４】
第１の投光光線Ｐ１は第１のフル画素１３の第１のサブ画素１３１を介して、第１の屈折部２２の第２の屈折面２２２に投光されると共に、第１の屈折部２２の第２の屈折面２２２に対して第１の照光エリアＧ１を形成する。第１の照光エリアＧ１は第１の屈折部２２の第２の屈折面２２２により屈折されてから、所定エリアＺに投光される第１の屈折光線Ｒ１に形成する。説明すべきは、所定エリアＺが第１の所定位置Ｋ１と第２の所定位置Ｋ２との間にあってもよい。また、第１の屈折光線Ｒ１が全て第１の所定位置Ｋ１と一第２の所定位置Ｋ２との間に位置されるように、一部の第１の屈折光線Ｒ１１が第１の所定位置Ｋ１に投光されて、他の一部の第１の屈折光線Ｒ１２が第２の所定位置Ｋ２に投光されてもよい。さらに言えば、第２の投光光線Ｐ２が第１のフル画素１３の第１のサブ画素１３１を通じてから、第１の屈折部２２の第１の屈折面２２１に投光されて、第１の屈折部２２の第１の屈折面２２１に対して第２の照光エリアＧ２を形成してもよい。第２の照光エリアＧ２が第１の屈折部２２の第１の屈折面２２１により屈折されてから、所定エリアＺに投光される第２の屈折光線Ｒ２に形成する。説明すべきは、第２の屈折光線Ｒ２が全て第１の所定位置Ｋ１と一第２の所定位置Ｋ２との間に位置されるように、一部の第２の屈折光線Ｒ２１が第１の所定位置Ｋ１に投光されて、他の一部の第２の屈折光線Ｒ２２が第２の所定位置Ｋ２に投光されてもよい。
【００２５】
すなわち、第１のフル画素１３の第１のサブ画素１３１を通じてから生じる第１の投光光線Ｐ１及び第２の投光光線Ｐ２は、それぞれ第１の屈折部２２における第２の屈折面２２２及び第１の屈折面２２１により屈折されて、同じ所定エリアＺに投光される第１の屈折光線Ｒ１及び第２の屈折光線Ｒ２に別々に形成される。さらに概念で説明すれば、第１の屈折部２２の第２の屈折面２２２の中央位置に投光される第１の投光光線Ｐ１が第１の屈折部２２の第２の屈折面２２２により屈折されてから、所定位置Ｋ０に投光される第１の屈折光線Ｒ１に形成することができる。また、第１の屈折部２２の第１の屈折面２２１の中央位置に投光される第２の投光光線Ｐ２が第１の屈折部２２の第１の屈折面２２１により屈折されてから、所定位置Ｋ０に投光される第２の屈折光線Ｒ２に形成することができる。つまり、第１の屈折光線Ｒ１及び第２の屈折光線Ｒ２は所定位置Ｋ０で交差される。また、所定位置Ｋ０が所定エリアＺにおいて位置されるようになる。
【００２６】
この時のＺ軸において、所定位置Ｋ０と第１面１１との距離は最適視認距離（ｏｐｔｉｍｕｍ  ｖｉｅｗｉｎｇ  ｄｉｓｔａｎｃｅ，ＯＶＤ）である。そして、屈折面２２１と屈折面２２２との角度が所定角度θである。
【００２７】
説明しておくべきは、第１のフル画素１３の第２のサブ画素１３２を介して生じた第１の屈折部２２における第１の屈折面２２１及び第２の屈折面２２２に投光される投光光線が、第１の屈折部２２の第１の屈折面２２１及び第２の屈折面２２２により屈折された場合、同じ効果照射が生じえ、その方向のみが違っている（図４Ｂに示すように）。
【００２８】
言い換えれば、図４Ｂに示すように、第１の投光光線Ｐ１’が第１のフル画素１３の第２のサブ画素１３２を通じてから、第１の屈折部２２に第２の屈折面２２２に投光され、第１の屈折部２２の第２の屈折面２２２に対して第１の照光エリアＧ１’に形成される。また、第１の照光エリアＧ１’が第１の屈折部２２の第２の屈折面２２２により屈折された後、所定エリアＺ’に投光される第１の屈折光線Ｒ１’に形成される。説明しておくべきは、所定エリアＺ’は第１の所定位置Ｋ１’と第２の所定位置Ｋ２’との間に位置されてもよい。かつ、第１の屈折光線Ｒ１’が全て第１の所定位置Ｋ１’と一第２の所定位置Ｋ２’との間に位置されるように、一部の第１の屈折光線Ｒ１１’が第１の所定位置Ｋ１’に投光され、他の一部の第１の屈折光線Ｒ１２’が第２の所定位置Ｋ２’に投光されてもよい。さらに言えば、第２の投光光線Ｐ２’が第１のフル画素１３の第２のサブ画素１３２を通じてから、第１の屈折部２２の第１の屈折面２２１に投光され、第１の屈折部２２の第１の屈折面２２１に対して第２の照光エリアＧ２’に形成されることができる。第２の照光エリアＧ２’が第１の屈折部２２の第１の屈折面２２１により屈折された後、所定エリアＺ’に投光される第２の屈折光線Ｒ２’に形成される。説明しておくべきは、第２の屈折光線Ｒ２’が全て第１の所定位置Ｋ１’と一第２の所定位置Ｋ２’との間に位置されるように、一部の第２の屈折光線Ｒ２１’が第１の所定位置Ｋ１’に投光され、他の一部の第２の屈折光線Ｒ２２’が第２の所定位置Ｋ２’に投光されてもよい。
【００２９】
つまり、第１のフル画素１３の第２のサブ画素１３２を通じてから生じた第１の投光光線Ｐ１’及び第２の投光光線Ｐ２’は、それぞれ第１の屈折部２２における第２の屈折面２２２及び第１の屈折面２２１により屈折されて、同じの所定エリアＺ’に投光される第１の屈折光線Ｒ１’及び第２の屈折光線Ｒ２’に別に形成される。更に概念で説明すれば、第１の屈折部２２の第２の屈折面２２２の中央位置に投光される第１の投光光線Ｐ１’が第１の屈折部２２の第２の屈折面２２２により屈折された後、所定位置Ｋ０’に投光される第１の屈折光線Ｒ１’に形成されることができる。また、第１の屈折部２２の第１の屈折面２２１の中央位置に投光される第２の投光光線Ｐ２’が第１の屈折部２２の第１の屈折面２２１により屈折された後、所定位置Ｋ０’に投光される第２の屈折光線Ｒ２’に形成されることができる。つまり、第１の屈折光線Ｒ１’及び第２の屈折光線Ｒ２’が所定位置Ｋ０’で交差する。かつ、所定位置Ｋ０’が所定エリアＺ’において位置される。
【００３０】
この時のＺ軸において、所定位置Ｋ０’と第１面１１との距離は最適視認距離（ｏｐｔｉｍｕｍ  ｖｉｅｗｉｎｇ  ｄｉｓｔａｎｃｅ，ＯＶＤ）である。そして、屈折面２２１と屈折面２２２との角度が所定角度θである。説明しておくべきは、第２の屈折部２３及び第３の屈折部２４に投光される投光光線（図示なし）は、第１の屈折部２２に投光される投光光線（Ｐ１、Ｐ１’、Ｐ２、Ｐ２’）と類似するため、ここでは説明を繰り返さない。
【００３１】
さらに言えば、再び図３、図４Ａ及び圖４Ｂを参照する。本体部２１は所定高さＨを有してもよい。以本考案の実施形態と言えば、所定高さＨが０．０５ミリメートル（Ｍｉｌｌｉｍｅｔｅｒ，ｍｍ）と２０ミリメートルとの間にあってもよいが、本考案はそれに制限されてない。例を挙げると、本体部２１の材料はポリエチレンテレフタレート（ＰＥＴ，Ｐｏｌｙｅｔｈｙｌｅｎｅ  ｔｅｒｅｐｈｔｈａｌａｔｅ）である場合、よく採る所定高さＨは０．１２５ミリメートルであってもよいが、０．０５ミリメートル、０．１２５ミリメートル、０．１８８ミリメートル、０．２５ミリメートルなどを採用してもよい。本考案はそれに制限されてない。また、所定高さＨを調整する、例えば、より厚いガラスを加えることにより、３次元の視覚効果の最適視認距離（ｏｐｔｉｍｕｍ  ｖｉｅｗｉｎｇ  ｄｉｓｔａｎｃｅ，ＯＶＤ）をさらに変わることができる。また、所定角度θの角度値を調整することにより、３次元の視覚効果の最適視認距離を変化してもよい。
【００３２】
また、注目に値するのは、再び図３を図５と共に参照する。図５は本考案の実施形態にかかるレンズ構造層の平面透視模式図である。レンズ構造層２が液晶モジュールディスプレイ１に設けられるときに、各屈折部はおおよそ二つのサブ画素と対応するようになる。実際の運用では、屈折部（２２、２３、２４）毎に第１の所定幅Ｌ１を備えてもよい。隣り合う二つのサブ画素の間に第２の所定幅Ｌ２が設けられてもよい。中でも、第１の所定幅Ｌ１の寸法は第２の所定幅Ｌ２の寸法よりやや小さくなる。また、特に説明すべきは、図５における赤の（Ｒ）サブ画素、緑の（Ｇ）サブ画素及び青の（Ｂ）サブ画素の排列方式は例として挙げられるものであり、本考案はそれに制限されてない。
【００３３】
［実施形態の有益な効果］
本発明の一つ有益な効果として、本発明の実施形態が提供した裸眼立体ディスプレイ装置Ｕ及びそのレンズ構造層２は、「少なくとも一つの前記屈折部における第１の屈折面と第２の屈折面が斜め面に形成されている」という技術構成を介して、干渉縞の発生を抑制し、見るときの快適性を高めることができるところにある。
【００３４】
また、従来の技術が曲面により屈折部とすることに対して、本考案は第１の屈折面と第２の屈折面との間に１２０度と１７９度の間にある所定角度θが設けあれる方式により、さらに干渉縞の発生を抑制することができる。
【００３５】
上述したのは本考案の好ましい実施可能な実施例に過ぎず、本考案の保護範囲を限定するためのものではなく、本考案の実用新案登録請求の範囲に基づき為された均等の変形と変更は、全て本考案の請求項の保護範囲に属するものとする。
【符号の説明】
【００３６】
Ｕ  裸眼立体ディスプレイ装置
１  液晶モジュールディスプレイ
１１  第１面  
１２  第２面
１３  第１のフル画素
１３１  第１のサブ画素  
１３２  第２のサブ画素
１３３  第３のサブ画素
１４  第２のフル画素
１４１  第１のサブ画素
１４２  第２のサブ画素
１４３  第３のサブ画素
２  レンズ構造層  
２１  本体部
２２  第１の屈折部
２２１  第１の屈折面
２２２  第２の屈折面
２３  第２の屈折部
２３１  第１の屈折面
２３２  第２の屈折面
２４  第３の屈折部
２４１  第１の屈折面
２４２  第２の屈折面
３  粘着層
θ  所定角度
Ｈ  所定高さ
Ｐ１、Ｐ１’  第１の投光光線
Ｐ２、Ｐ２’  第２の投光光線
Ｒ１、Ｒ１１、Ｒ１２、Ｒ１’、Ｒ１１’、Ｒ１２’  第１の屈折光線
Ｒ２、Ｒ２１、Ｒ２２、Ｒ２’、Ｒ２１’、Ｒ２２’  第２の屈折光線
Ｌ１  第１の所定幅
Ｌ２  第２の所定幅
Ｇ１、Ｇ１’  第１の照光エリア
Ｇ２、Ｇ２’  第２の照光エリア
Ｚ、Ｚ’  所定エリア
Ｋ０、Ｋ０’  所定位置
Ｋ１、Ｋ１’  第１の所定位置
Ｋ２、Ｋ２’  第２の所定位置
Ｘ、Ｙ、Ｚ  方向 
【図１】
0003216564.tif 000003
【図２】
0003216564.tif 000004
【図３】
0003216564.tif 000005
【図４Ａ】
0003216564.tif 000006
【図４Ｂ】
0003216564.tif 000007
【図５】
0003216564.tif 000008